(57)【要約】【課題】貯留水抽出機構におけるウォータハンマーの防止手段に逃がし弁を採用して、当該防止手段の定期的かつ頻繁なメンテナンス、他の補助手段を不要とし、かつ、当該防止手段の機能時の抽出用水の排水を解消する。【解決手段】貯留水抽出機構２０は、貯留タンクＴに接続する抽出用管路２１、その先端部に配設した抽出弁２２、抽出用管路２１の途中に介装した逃がし弁２０ａを備え、逃がし弁２０ａの流入口側２７ｂを抽出用管路２１に接続し、流出口側２７ｃを貯留タンクＴ側に接続して配設する。【選択図】    図２
2004306971.tif 000002
【特許請求の範囲】
【請求項１】
貯留タンクに貯留されている貯留水を抽出するための抽出機構であり、貯留タンクに接続されている抽出用管路と、同抽出用管路の先端部に配設されている抽出弁と、前記抽出用管路の途中に介装されている逃がし弁を備え、同逃がし弁の流入口側が前記抽出用管路に接続され、かつ、同逃がし弁の流出口側が前記貯留タンク側に接続されていることを特徴とする貯留水抽出機構。
【請求項２】
貯留タンクに貯留されている貯留水を抽出するための抽出機構であり、貯留タンクに接続されている抽出用管路と、同抽出用管路の先端部に配設されている抽出弁と、前記抽出用管路の途中に介装されている逃がし弁と、前記抽出用管路の前記逃がし弁より上流側の部位に介装されている逆止弁と、前記抽出用管路の前記逆止弁より上流側の部位から分岐して前記貯留タンクに接続されているバイパス管路を備え、前記逃がし弁の流入口側が前記抽出用管路に接続され、かつ、同逃がし弁の流出口側が前記バイパス管路側に接続されていることを特徴とする貯留水抽出機構。
【請求項３】
請求項１または２に記載の貯留水抽出機構において、前記抽出用管路には、前記抽出弁の開放操作に連動して駆動する送水ポンプを備え、前記抽出弁の開放操作によって送水ポンプを駆動して、前記貯留タンク内の貯留水が抽出されるように構成されていることを特徴とする貯留水抽出機構。
【請求項４】
請求項１〜３のいずれか一項に記載の貯留水抽出機構において、前記貯留タンクは電解槽で生成される電解生成水を貯留する貯留タンクであり、前記抽出用管路は流水検出手段を備え、同抽出用管路内での貯留水の流動を検出して前記電解槽での電解運転が行われるように構成されていることを特徴とする貯留水抽出機構。
【発明の詳細な説明】
【０００１】
【発明の属する技術分野】
本発明は、貯留水抽出機構に関する。
【０００２】
【従来の技術】
水供給源から、種々の処理装置に水を供給するための給水機構においては、給水用管路の途中に逃がし弁を介装して、給水用管路内の圧力が高くなった場合には給水用管路内の供給水を排水して、異常圧力の発生を防止するようにしているものがある（例えば特許文献１参照）。
【０００３】
しかして、貯留タンクに貯留されている貯留水を抽出するための貯留水抽出機構においては、上記した特許文献１に開示されている給水用管路内の異常圧力防止手段を参考にして、貯留タンクに接続されている抽出用管路の途中にエアチャンバを介装し、抽出機構における抽出弁の閉鎖操作に伴う抽出用管路内での異常圧力の発生に起因するウォータハンマーの発生を防止する手段が採られている。当該貯留水抽出機構においては、抽出弁の閉鎖操作に伴って発生する異常圧力は、エアチャンバ内の空気を圧縮させることで吸収されて、ウォータハンマーの発生が防止される。
【０００４】
【特許文献１】
特開平１０−２８９７０号公報
【０００５】
【発明が解決しようとする課題】
ところで、抽出用管路の途中にエアチャンバを備える上記した貯留水抽出機構においては、エアチャンバ内の空気は、抽出用管路内の抽出用水（貯留水）に直接接触しているため、抽出用水に溶け込んだり抽出用水の流動に伴って排出される。この結果、エアチャンバ内では、空気が抽出用水に置換されて、ウォータハンマーの防止機能を損なうことにある。このため、当該貯留水抽出機構においては、抽出用管路にエアチャンバに対向して水抜き弁を設けて、定期的かつ頻繁に、エアチャンバ内に溜まった抽出用水を排出するとともに、エアチャンバ内に空気を補給する手段が採られる。
【０００６】
従って、当該貯留水抽出機構においては、定期的なメンテナンスが不可欠であること、エアチャンバの他に水抜き弁が必要であること、抽出用水の排出が不可欠であって貯留水が無駄になること等の問題を含んでいる。本発明の目的は、当該貯留水抽出機構と同一形式の貯留水抽出機構におけるウォータハンマーの防止手段として、逃がし弁を採用することによって、上記した問題の全てを解消することにある。
【０００７】
【課題を解決するための手段】
本発明は、貯留タンクに貯留されている貯留水を抽出するための抽出機構に関するものである。本発明に係る第１の貯留水抽出機構は、貯留タンクに接続されている抽出用管路と、同抽出用管路の先端部に配設されている抽出弁と、前記抽出用管路の途中に介装されている逃がし弁を備え、同逃がし弁の流入口側が前記抽出用管路に接続され、かつ、同逃がし弁の流出口側が前記貯留タンク側に接続されていることを特徴とするものである。
【０００８】
また、本発明に係る第２の貯留水抽出機構は、貯留タンクに接続されている抽出用管路と、同抽出用管路の先端部に配設されている抽出弁と、前記抽出用管路の途中に介装されている逃がし弁と、前記抽出用管路の前記逃がし弁より上流側の部位に介装されている逆止弁と、前記抽出用管路の前記逆止弁より上流側の部位から分岐して前記貯留タンクに接続されているバイパス管路を備え、前記逃がし弁の流入口側が前記抽出用管路に接続され、かつ、同逃がし弁の流出口側が前記バイパス管路側に接続されていることを特徴とするものである。
【０００９】
本発明に係るこれらの貯留水抽出機構においては、前記抽出用管路に、前記抽出弁の開放操作に連動して駆動する送水ポンプを介装して、前記抽出弁の開放操作によって送水ポンプを駆動して、前記貯留タンク内の貯留水を抽出するように構成することができる。
【００１０】
また、本発明に係るこれらの貯留水抽出機構においては、前記貯留タンクを電解槽で生成される電解生成水を貯留する貯留タンクに形成して前記抽出用管路に流水検出手段を設けて、同抽出用管路内での貯留水の流動を検出して前記電解槽での電解運転を行うように構成することができる。
【００１１】
【発明の作用・効果】
本発明に係る各貯留水抽出機構においては、抽出用管路の先端部に設けた抽出弁の閉鎖操作に伴って抽出用管路内に発生する異常圧力は逃がし弁に作用して、逃がし弁を開放する。これにより、抽出用管路内の抽出用水が直接またはバイパス管路を通して貯留タンク内に還流し、抽出用管路内の異常圧力が低減されて、ウォータハンマーの発生が防止される。
【００１２】
このため、本発明に係る各貯留水抽出機構によれば、ウォータハンマーの防止手段として採用している逃がし弁以外の他の手段は不要であり、また、定期的なメンテナンスも不要であり、かつ、抽出用水の排出が不要であって貴重な貯留水が無駄になるようなことはない。
【００１３】
本発明に係る各貯留水抽出機構においては、抽出弁の開放操作に連動して駆動する送水ポンプを介装して、抽出弁の開放操作によって送水ポンプを駆動して貯留タンク内の貯留水を抽出するように構成すれば、抽出弁の開放操作によって、貯留タンク内の貯留水を瞬時に円滑に抽出することができる。
【００１４】
また、本発明に係る各貯留水抽出機構においては、電解生成水を貯留する貯留タンクからの電解生成水を抽出する機構をとして好適に採用することができる。この場合には、貯留タンクを電解槽における電解生成水の流出管路を貯留タンクに接続して、貯留タンクに電解生成水が供給されるようにするとともに、抽出用管路には流水検出手段を設けて、抽出用管路内での貯留水の流動を検出して電解槽での電解運転を開始するように構成することが好ましい。
【００１５】
【発明の実施の形態】
本発明は貯留水抽出機構に関するものであり、図１には、本発明が適用対象とする貯留水抽出機構の一例である電解生成水の抽出機構を示している。当該抽出機構１０は、電解水生成装置Ｍに付属する電解生成水の貯留タンクＴが装備しているもので、抽出用管路１１を主要部とし、抽出用管路１１の先端部には抽出弁１２が配設されており、抽出用管路１１の途中にはバイパス管路１３が配設されている。抽出用管路１１の基端部は貯留タンクＴの下面側に接続され、バイパス管路１３の先端部は貯留タンクＴの上方側部に接続されている。
【００１６】
なお、貯留タンクＴは、電解水生成装置Ｍを構成する図示しない電解槽の一方の電解室側の流出管路に接続されていて、電解水生成装置Ｍの電解運転時、電解槽の一方で生成される電解生成酸性水または電解生成アルカリ性水が供給されるようになっている。電解生成水の供給量は、貯留タンクＴ内に設けた上方の液面センサｔ１と下方の液面センサｔ２との作用にて制御される。
【００１７】
当該抽出機構１０においては、抽出用管路１１のバイパス管路１３の分岐基端より上流側の部位に、送水ポンプ１４ａおよび流水センサ１４ｂおよび排水弁１４ｃが介装されている。また、抽出用管路１１のバイパス管路１３の分岐基端部より上流側の部位には、逆止弁１５ａ、圧力センサ１５ｂ、エアチャンバ１５ｃおよび水抜き弁１５ｄが介装されている。また、バイパス管路１３の途中には、バイパス弁１６が介装されている。
【００１８】
当該抽出機構１０は先止め式の抽出機構であって、抽出弁１２を開放操作することによって、貯留タンクＴ内に貯留されている電解生成水が抽出弁１２を通して抽出される。送水ポンプ１４ａは、抽出弁１２の開閉動作に連動して駆動、非駆動を行うもので、抽出弁１２の開放操作によって駆動する。これにより、貯留タンクＴ内に貯留する電解生成水は、逆止弁１５ａを通って抽出弁１２に至り、抽出弁１２を通って抽出される。また、電解生成水の抽出は、抽出弁１２の閉鎖操作によって停止される。
【００１９】
この間、電解水生成装置Ｍは、流水センサ１４ｂからの検出信号に基づいて電解運転を制御され、貯留タンクＴ内の電解生成水が抽出されている間電解運転されて、貯留タンクＴ内への電解生成水の供給を行う。なお、電解水生成装置Ｍの電解運転は、電解生成水の抽出が停止した状態で、これを検出した流水センサ１４ｂからの検出信号の基づいて停止するとともに、圧力センサ１５ｂによる異常圧の検出信号に基づいても停止する。
【００２０】
この種形式の抽出機構においては、抽出弁１２の閉鎖操作に伴って抽出用管路１１内に異常圧力が発生して、ウォータハンマー現象が発生するおそれがある。これに対処するため、当該抽出機構１０では、ウォータハンマー防止手段としてエアチャンバ１５ｃを備える構成となっている。このため、当該抽出機構１０においては、抽出弁１２の閉鎖操作に伴って発生する異常圧力は、エアチャンバ１５ｃ内の空気を圧縮させることで吸収されて、ウォータハンマーの発生が防止されることになる。
【００２１】
しかしながら、当該抽出機構１０においては、抽出用管路１１の途中に介装されているエアチャンバ１５ｃ内の空気は、抽出用管路１１内の抽出用水（貯留水）に直接接触しているため、抽出用水に溶け込んで減少し、かつ、抽出用水の流動とともに排出される。この結果、エアチャンバ１５ｃ内では空気が抽出用水に置換されて、ウォータハンマーの防止機能を損なうことにある。このため、当該抽出機構１０においては、抽出用管路１１のエアチャンバ１５ｃに対向して設けた水抜き弁１５ｄから、定期的かつ頻繁に、エアチャンバ１５ｃ内に溜まった抽出用水を排出するとともに、エアチャンバ１５ｃ内に空気を補給する手段を採らざるを得ない。
【００２２】
従って、当該抽出機構１０では、定期的かつ頻繁なメンテナンスが不可欠であること、エアチャンバ１５ｃの他に水抜き弁１５ｄが必要であること、抽出用水の排出が不可欠であって電解生成水が無駄になること等の問題を含んでいる。本発明は、当該抽出機構１０のこれらの問題に対処すべく意図しているもので、ウォータハンマーの防止手段として逃がし弁を採用して、これらの問題を全て解消しようとするものである。図２には、本発明の一実施形態に係る抽出機構２０を示している。
【００２３】
当該抽出機構２０は、ウォータハンマーの防止手段を除き、基本的には、抽出機構１０と同一構成ものである。従って、当該抽出機構２０の以下の説明では、抽出機構１０とは相違する構成について詳細に説明し、同一および類似する構成については、抽出機構１０の構成部材と類似する２０番台の符号を付してその詳細な説明を省略する。
【００２４】
当該抽出機構２０においては、ウォータハンマーの防止手段として、図３に示す逃がし弁２０ａを採用している。逃がし弁２０ａは、弁ハウジング２７と、弁体２８とからなり、弁ハウジング２７は、ハウジング本体２７ａの空間部に連通する流入管部２７ｂおよび流出管部２７ｃを備え、ハウジング本体２７ａの基端側開口部はキャップ２７ｄにて閉塞されている。弁ハウジング２７には、ハウジング本体２７ａの空間部と流入管部２７ｂの連結部位が弁座部２７ｅに構成されている。
【００２５】
弁体２８は、ゴム製で筒状の弁部２８ａと、弁部２８ａの底部に頭部を固定されていて弁ハウジング２７のキャップ２７ｄを摺動可能に貫通する作動ロッド２８ｂと、作動ロッド２８ｂを付勢して作動ロッド２８ｂの頭部を介して弁部２８ａの底部を弁座部２７ｅに当接させているスプリング２８ｃとによって構成されている。
【００２６】
逃がし弁２０ａは、弁ハウジング２７の流入管部２７ｂにて抽出用管路２１に接続され、流出管部２７ｃにて貯留タンクＴに連結する還流管路２９に接続されている。このように配設されている逃がし弁２０ａにおいては、弁ハウジング２７の流入管部２７ｂ側から設定圧以上の圧力が作用した場合には、その作用力は弁体２８を押開いて流出管部２７ｃを通って逃げるようになっている。上記した設定圧については、送水ポンプ２４ａの最大送水圧力が０．２ＭＰａとした場合には、例えば２．０ＭＰａとすることができる。
【００２７】
当該貯留水抽出機構２０においては、抽出弁２２の開閉操作によって、抽出機構１０と同様に機能する。抽出弁２２を開放操作すれば、送水ポンプ２４ａが駆動して、貯留タンクＴ内に貯留する電解生成水が抽出弁２２を通して抽出される。この間、電解水生成装置Ｍでは電解運転が開始されて、電解槽で生成される一方の電解生成水が貯留タンクＴ内に補給される。
【００２８】
また、当該貯留水抽出機構２０において、抽出弁２２を閉鎖操作すれば、送水ポンプ２４ａの駆動が停止されて、貯留タンクＴ内に貯留する電解生成水の抽出弁２２からの抽出が停止され、かつ、電解水生成装置Ｍでは電解運転が停止されて、貯留タンクＴ内への電解生成水の補給が停止される。
【００２９】
ところで、当該貯留水抽出機構２０においては、抽出用管路２１の先端部に設けた抽出弁２２の閉鎖操作に伴って、抽出用管路２１内に異常圧力が発生することが多い。この場合に発生する異常圧力は、逃がし弁２０ａに作用して逃がし弁２０ａを開放する。これにより、抽出用管路２２内の抽出用水は、還流管路２７を通して貯留タンクＴ内に還流される。このため、抽出用管路２２内の異常圧力は低減されて、ウォータハンマーの発生が防止される。
【００３０】
このように、当該貯留抽出機構２０では、ウォータハンマーの防止手段として、上記した機能を有する逃がし弁２０ａを採用しているため、ウォータハンマーの防止手段としては、逃がし弁２０ａ以外の補助の手段は不要であり、また、定期的なメンテナンスも不要であり、かつ、抽出用水の排出が不要であって貴重な貯留水が無駄になるようなことはない。
【００３１】
なお、当該貯留抽出機構２０においては、逃がし弁２０ａを抽出用管路２１と還流管路２９とに接続して、抽出用水を還流管路２９を通して貯留タンクＴ内に還流させる例について示したが、逃がし弁２０ａを抽出用管路２１とバイパス管路２３のバイパス弁２６の下流側とに接続して、抽出用水をバイパス管路２６を通して貯留タンクＴ内に還流させるように変更実施することができる。
【図面の簡単な説明】
【図１】本発明が適用対象とする貯留水抽出機構の一例を示す概略構成図である。
【図２】本発明に係る貯留水抽出機構の一実施形態を示す概略構成図である。
【図３】同貯留水抽出機構に採用されている逃がし弁の断面図である。
【符号の説明】
１０，２０…貯留水抽出機構、１１，２１…抽出用管路、１２，２２…抽出弁、１３，２３…バイパス管路、１４ａ，２４ａ…送水ポンプ、１４ｂ，２４ｂ…流水センサ、１４ｃ，２４ｃ…排水弁、１５ａ，２５ａ…逆止弁、１５ｂ，２５ｂ…圧力センサ、１５ｃ…エアチャンバ、１５ｄ…水抜き弁、１６…バイパス弁、２０ａ…逃がし弁、２７…弁ハウジング、２７ａ…ハウジング本体、２７ｂ…流入管部、２７ｃ…流出管部、２７ｄ…キャップ、２７ｅ…弁座部、２８…弁体、２８ａ…弁部、２８ｂ…作動ロッド、２８ｃ…スプリング、２９…還流管路。
【図１】
2004306971.tif 000003
【図２】
2004306971.tif 000004
【図３】
2004306971.tif 000005